(57)【要約】  無認可(共有)無線周波数スペクトル帯域中の1つまたは複数の判断された送信時間間隔(TTI)を介した、車車間路車間(V2X:vehicle-to-everything)通信のための方法、システム、およびデバイスについて記載する。車両などのユーザ機器(UE)が、共有無線周波数スペクトル上で1つまたは複数のリッスンビフォアトーク(LBT)機構を実施し、利用可能システムリソースへのアクセスを求めて競合し得る。アクセスを得ると、UEは、送信用のデータペイロードを判断することができる。データタイプまたはペイロードは閾を超える場合があり、その結果、UEは、複数のTTIを連続データ送信用にバンドリングしてよい。UEは、TTIバンドリング実装ならびにデータ送信の後続TTIの制御またはLBTシンボルへの修正を示す制御情報を送り、続いて、複数のTTIにわたってデータ送信を実施することができる。
2020521367.tif 000002
【特許請求の範囲】
【請求項１】
ワイヤレス通信のための方法であって、
車両間通信用に割り振られた共有無線周波数スペクトル帯域を介して車両へ送信されるべきデータのサイズがサイズ閾を満足すると識別するステップであって、前記データは、リッスンビフォアトーク(LBT)シンボル、制御シンボル、およびデータシンボルを含む第1の送信時間間隔(TTI)中に送信されるべきである、ステップと、
前記データの前記サイズが前記サイズ閾を満足することに少なくとも部分的に基づいて、前記データが前記車両へ送信される予定である少なくとも第2のTTIを識別するステップであって、前記第2のTTIは前記第1のTTIに隣接する、ステップと、
前記共有無線周波数スペクトル帯域のキャリア上でLBT手順を実施するステップと、
前記LBT手順の出力結果に少なくとも部分的に基づいて、前記第1のTTIの前記データシンボルおよびギャップシンボル中に、ならびに前記第1のTTIの前記データシンボルと連結される、前記第2のTTIのシンボル中に前記データが送信される予定であるという指示を、前記第1のTTIの前記制御シンボル中に、送信するステップと、
前記第1のTTIの前記データシンボルおよび前記ギャップシンボル中に、ならびに前記第2のTTIの連結シンボル中に前記データを送信するステップとを含む方法。
【請求項２】
前記第2のTTIの前記連結シンボルは、制御シンボルのセット、LBTシンボルのセット、データシンボルのセット、またはそれらの組合せを含む、請求項1に記載の方法。
【請求項３】
前記指示は、制御チャネルを介して送信される制御メッセージ中に含まれる、請求項1に記載の方法。
【請求項４】
前記データが送信される追加TTIの数は、TTIの閾数を下回る、請求項1に記載の方法。
【請求項５】
前記第2のTTI中に送信されるべき制御メッセージの送信を修正するステップをさらに含む、請求項1に記載の方法。
【請求項６】
前記制御メッセージの前記送信を修正する前記ステップは、
前記制御メッセージ用に割り振られた前記第2のTTIのシンボルを介して、前記制御メッセージを送信するのを控えるステップを含む、請求項5に記載の方法。
【請求項７】
前記制御メッセージ用に割り振られた前記第2のTTIの前記シンボルを介して、前記データの少なくとも一部分を送信するステップをさらに含む、請求項6に記載の方法。
【請求項８】
前記LBT手順を実施する前記ステップは、
前記共有無線周波数スペクトル帯域の前記キャリアを介した送信をリッスンするステップを含み、前記データの送信のためのリソースのセットは、前記リッスンしたことに少なくとも部分的に基づいて判断される、請求項1に記載の方法。
【請求項９】
前記リッスンしたことに少なくとも部分的に基づいて、前記第1のTTIおよび前記第2のTTIに対応するリソースの予約を示すLBT予約メッセージを送信するステップをさらに含む、請求項8に記載の方法。
【請求項１０】
前記LBT予約メッセージを送信する前記ステップは、
前記第1のTTIのLBTシンボル内で単一のLBT予約メッセージの送信を繰り返すステップを含む、請求項9に記載の方法。
【請求項１１】
前記単一のLBT予約メッセージの送信を繰り返すことに先立って、前記LBTシンボル中に単一のサイクリックプレフィックスを送信するステップをさらに含む、請求項10に記載の方法。
【請求項１２】
送信のリスニングが実施されるシンボルに続くシンボルをカウントするためのLBTカウンタを開始するステップをさらに含む、請求項9に記載の方法。
【請求項１３】
前記LBT予約メッセージは、前記LBTカウンタに少なくとも部分的に基づいて判断された予約シンボル中に送信される、請求項12に記載の方法。
【請求項１４】
前記LBT予約メッセージは、リスニングのために割り振られたシンボルの後のシンボル中に送信される、請求項9に記載の方法。
【請求項１５】
前記リスニングのために割り振られた前記シンボルの後の前記シンボルは、ギャップシンボルに続く、請求項14に記載の方法。
【請求項１６】
前記データの前記サイズは、複数のTTIに対応する前記サイズ閾を超える、請求項1に記載の方法。
【請求項１７】
前記データはレイテンシ閾を超える、請求項1に記載の方法。
【請求項１８】
前記データは超高信頼低レイテンシ通信(URLLC)データを含む、請求項17に記載の方法。
【請求項１９】
ワイヤレス通信のための方法であって、
車両間通信用に割り振られた共有無線周波数スペクトル帯域内の第1の送信時間間隔(TTI)のデータシンボルおよびギャップシンボル中に、データの第1の部分を車両から受信するステップであって、前記第1のTTIは、データ通信用に割り振られている、ステップと、
前記共有無線周波数スペクトル帯域内の少なくとも第2のTTIのシンボル中に、前記データの第2の部分を前記車両から受信するステップであって、前記第2のTTIは前記第1のTTIに隣接し、前記第2のTTIの前記シンボルは前記第1のTTIの前記データシンボルと連結される、ステップとを含む方法。
【請求項２０】
前記第2のTTIの連結シンボルは、制御シンボルのセット、LBTシンボルのセット、データシンボルのセット、またはそれらの組合せを含む、請求項19に記載の方法。
【請求項２１】
前記データの前記第2の部分が、前記第2のTTIの前記連結されたデータシンボル中に送信される予定であるという指示を受信するステップをさらに含む、請求項19に記載の方法。
【請求項２２】
前記指示は、前記第1のTTIの制御シンボル中に制御チャネルを介して受信される制御メッセージ中に含まれる、請求項21に記載の方法。
【請求項２３】
前記データが受信されるTTIの数はTTIの閾数を下回る、請求項21に記載の方法。
【請求項２４】
前記第2のTTIは制御通信用に割り振られる、請求項19に記載の方法。
【請求項２５】
前記データのサイズは、複数のTTIに対応するサイズ閾を超える、請求項19に記載の方法。
【請求項２６】
前記データはレイテンシ閾を超える、請求項19に記載の方法。
【請求項２７】
前記データは超高信頼低レイテンシ通信(URLLC)データを含む、請求項26に記載の方法。
【請求項２８】
ワイヤレス通信のための装置であって、
データのサイズがサイズ閾を満足することに少なくとも部分的に基づいて、前記データが車両へ送信される予定である少なくとも第2のTTIを識別するための手段であって、前記第2のTTIは第1のTTIに隣接する、手段と、
共有無線周波数スペクトル帯域のキャリア上でLBT手順を実施するための手段と、
前記LBT手順の出力結果に少なくとも部分的に基づいて、前記第1のTTIのデータシンボルおよびギャップシンボル中に、ならびに前記第1のTTIの前記データシンボルと連結される、前記第2のTTIのシンボル中に前記データが送信される予定であるという指示を、前記第1のTTIの制御シンボル中に、送信するための手段と、
前記第1のTTIの前記データシンボルおよび前記ギャップシンボル中に、ならびに前記第2のTTIの連結シンボル中に前記データを送信するための手段とを備える装置。
【請求項２９】
前記第2のTTIの前記連結シンボルは、制御シンボルのセット、LBTシンボルのセット、データシンボルのセット、またはそれらの組合せを含む、請求項28に記載の装置。
【請求項３０】
ワイヤレス通信のための装置であって、
車両間通信用に割り振られた共有無線周波数スペクトル帯域内の第1の送信時間間隔(TTI)のデータシンボルおよびギャップシンボル中に、データの第1の部分を車両から受信するための手段であって、第1のTTIは、データ通信用に割り振られている、手段と、
前記共有無線周波数スペクトル帯域内の少なくとも第2のTTIのシンボル中に、前記データの第2の部分を前記車両から受信するための手段であって、前記第2のTTIは前記第1のTTIに隣接し、前記第2のTTIの前記シンボルは前記第1のTTIの前記データシンボルと連結される、手段とを備える装置。
【発明の詳細な説明】
【技術分野】
【０００１】
相互参照
本特許出願は、本出願の譲受人に譲渡されるとともに、各々が参照によって全体が本明細書に組み込まれている、2018年4月25日に出願した、「Transmission Time Interval Bundling for Wireless Communications Systems」と題する、Baghelらによる米国特許出願第15/962,755号、および2017年5月25日に出願した、「Transmission Time Interval Bundling for Wireless Communications Systems」と題する、Baghelらによる米国仮特許出願第62/511,228号の優先権を主張する。
【背景技術】
【０００２】
以下は概して、ワイヤレス通信に関し、より詳細には、ワイヤレス通信システムのための送信時間間隔(TTI)バンドリングに関する。
【０００３】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース(たとえば、時間、周波数、および電力)を共有することによって複数のユーザとの通信をサポートすることが可能である場合がある。そのような多元接続システムの例には、符号分割多元接続(CDMA)システム、時分割多元接続(TDMA)システム、周波数分割多元接続(FDMA)システム、および直交周波数分割多元接続(OFDMA)システム、(たとえば、ロングタームエボリューション(LTE)システム、または新規無線(NR)システム)がある。ワイヤレス多元接続通信システムは、場合によってはユーザ機器(UE)として知られることがある複数の通信デバイスのための通信を各々が同時にサポートする、いくつかの基地局またはアクセスネットワークノードを含み得る。
【０００４】
基地局は、(たとえば、基地局からUEへの送信用の)ダウンリンクチャネル上および(たとえば、UEから基地局への送信用の)アップリンクチャネル上で、車両などのUEと通信し得る。いくつかのケースでは、車両は、デバイスツーデバイス(D2D)ワイヤレスリンクを介するD2D通信を使って、互いと直接通信することができる。いくつかのシステムは、認可無線周波数スペクトルの帯域または無認可(たとえば、共有)無線周波数スペクトル帯域中でのD2D通信を提供する。共有リソースを介して通信するために、リッスンビフォアトーク(LBT)などの、競合に基づく機構が利用され得る。競合に勝った場合、車両には、データペイロードを送信するためのTTIが割り振られ得る。ただし、データペイロードは、車両によって勝ち取られたTTIのデータリソースを超える場合があり、車両は、残りのペイロードを送信することに先立って、競合を再度実施しなければならない場合がある。その結果、不連続または遅れた送信が起こる場合があり、それにより、レイテンシが増し、スループットが減少し、または他の性能問題が引き起こされ得る。
【発明の概要】
【課題を解決するための手段】
【０００５】
ワイヤレス通信の方法について記載する。この方法は、車両間(vehicle to vehicle)通信用に割り振られた共有無線周波数スペクトル帯域を介して車両へ送信されるべきデータのサイズがサイズ閾を満足すると識別するステップを含み得る。いくつかのケースでは、データは、リッスンビフォアトーク(LBT)シンボル、制御シンボル、およびデータシンボルを含む第1の送信時間間隔(TTI)中に送信され得る。方法は、データのサイズがサイズ閾を満足することに基づいて、データが車両へ送信される予定である少なくとも第2のTTIを識別するステップをさらに含み得る。第2のTTIは、第1のTTIに隣接してよい。方法は、共有無線周波数スペクトル帯域のキャリア上でLBT手順を実施するステップと、データが、第1のTTIのデータシンボルおよびギャップシンボル中に、ならびに第2のTTIのシンボル中に送信される予定であるという指示を、第1のTTIの制御シンボル中に送信するステップとを含み得る。第2のTTIのシンボルは、LBT手順の出力結果に基づいて、第1のTTIのデータシンボルと連結され得る。方法は、第1のTTIのデータシンボル、ギャップシンボル中に、および第2のTTIの連結シンボル中にデータを送信するステップを含み得る。
【０００６】
ワイヤレス通信のための装置について記載する。この装置は、車両間通信用に割り振られ得る共有無線周波数スペクトル帯域を介して車両へ送信されるべきデータのサイズがサイズ閾を満足すると識別するための手段を含み得る。データは、LBTシンボル、制御シンボル、およびデータシンボルを含み得るTTI中に送信され得る。装置は、データのサイズがサイズ閾を満足することに基づいて、データが車両へ送信される予定である少なくとも第2のTTIを識別するための手段も含むことができ、第2のTTIは第1のTTIに隣接し得る。さらに、装置は、共有無線周波数スペクトル帯域のキャリア上でLBT手順を実施するための手段と、データが、第1のTTIのデータシンボル、ギャップシンボル中に、および第2のTTIのシンボル中に送信される予定であるという指示を、第1のTTIの制御シンボル中に送信するための手段とを含み得る。第2のTTIのシンボルは、LBT手順の出力結果に基づいて、第1のTTIのデータシンボルと連結され得る。さらに、装置は、第1のTTIのデータシンボル、ギャップシンボル中に、および第2のTTIの連結シンボル中にデータを送信するための手段を含み得る。
【０００７】
ワイヤレス通信のための別の装置について記載する。装置は、プロセッサ、プロセッサと電子通信しているメモリ、およびメモリに記憶された命令を含み得る。命令は、プロセッサに、車両間通信用に割り振られた共有無線周波数スペクトル帯域を介して車両へ送信されるべきデータのサイズがサイズ閾を満足すると識別させるように動作可能であり得る。データは、LBTシンボル、制御シンボル、およびデータシンボルを含むTTI中に送信され得る。命令は、データのサイズがサイズ閾を満足することに基づいて、データが車両へ送信される予定である少なくとも第2のTTIを識別するようにさらに動作可能であり得る。いくつかのケースでは、第2のTTIは第1のTTIに隣接し得る。命令は、共有無線周波数スペクトル帯域のキャリア上でLBT手順を実施し、第1のTTIの制御シンボル中に、指示を送信するようにさらに動作可能であり得る。指示は、データが、LBT手順の出力結果に基づいて、第1のTTIのデータシンボル、ギャップシンボル中に、および第1のTTIのデータシンボルと連結される、第2のTTIのシンボル中に送信される予定であることを示し得る。命令は、第1のTTIのデータシンボル、ギャップシンボル中に、および第2のTTIの連結シンボル中にデータを送信するようにも動作可能であり得る。
【０００８】
ワイヤレス通信のための非一時的コンピュータ可読媒体について記載する。非一時的コンピュータ可読媒体は、プロセッサに、車両間通信用に割り振られた共有無線周波数スペクトル帯域を介して車両へ送信されるべきデータのサイズがサイズ閾を満足すると識別させるように動作可能な命令を含み得る。データは、LBTシンボル、制御シンボル、およびデータシンボルを含む第1のTTI中に送信され得る。命令は、プロセッサに、データのサイズがサイズ閾を満足することに基づいて、データが車両へ送信される予定である少なくとも第2のTTIを識別させるようにさらに動作可能であってよく、第2のTTIは、第1のTTIに隣接し得る。さらに、命令は、プロセッサに、共有無線周波数スペクトル帯域のキャリア上でLBT手順を実施させ、第1のTTIの制御シンボル中に、指示を送信させるように動作可能であり得る。指示は、データが、LBT手順の出力結果に少なくとも部分的に基づいて、第1のTTIのデータシンボル、ギャップシンボル中に、および第1のTTIのデータシンボルと連結される、第2のTTIのシンボル中に送信される予定であることを示し得る。命令は、第1のTTIのデータシンボルおよびギャップシンボル中に、ならびに第2のTTIの連結シンボル中にデータを送信するようにさらに動作可能であり得る。
【０００９】
上述した方法、装置、および非一時的コンピュータ可読媒体のいくつかの例では、第2のTTIの連結シンボルは、制御シンボルのセット、LBTシンボルのセット、データシンボルのセット、またはそれらの組合せを含む。
【００１０】
上述した方法、装置、および非一時的コンピュータ可読媒体のいくつかの例では、指示は、制御チャネルを介して送信され得る制御メッセージ中に含まれ得る。
【００１１】
上述した方法、装置、および非一時的コンピュータ可読媒体のいくつかの例では、データが送信され得る追加TTIの数は、TTIの閾数を下回り得る。
【００１２】
上述した方法、装置、および非一時的コンピュータ可読媒体のいくつかの例は、第2のTTI中に送信されるべき制御メッセージの送信を修正するためのプロセス、特徴、手段、または命令をさらに含み得る。
【００１３】
上述した方法、装置、および非一時的コンピュータ可読媒体のいくつかの例では、制御メッセージの送信を修正することは、制御メッセージ用に割り振られた第2のTTIのシンボルを介して、制御メッセージを送信するのを控えることを含む。
【００１４】
上述した方法、装置、および非一時的コンピュータ可読媒体のいくつかの例は、制御メッセージ用に割り振られた第2のTTIのシンボルを介して、データの少なくとも一部分を送信するためのプロセス、特徴、手段、または命令をさらに含み得る。
【００１５】
上述した方法、装置、および非一時的コンピュータ可読媒体のいくつかの例では、LBT手順を実施することは、共有無線周波数スペクトル帯域のキャリアを介した送信をリッスンすることを含み、データの送信のためのリソースのセットは、リッスンしたことに少なくとも部分的に基づいて判断され得る。
【００１６】
上述した方法、装置、および非一時的コンピュータ可読媒体のいくつかの例は、リッスンしたことに少なくとも部分的に基づいて、第1のTTIおよび第2のTTIに対応するリソースの予約を示すLBT予約メッセージを送信するためのプロセス、特徴、手段、または命令をさらに含み得る。
【００１７】
上述した方法、装置、および非一時的コンピュータ可読媒体のいくつかの例では、LBT予約メッセージを送信することは、第1のTTIのLBTシンボル内で単一のLBT予約メッセージの送信を繰り返すことを含む。
【００１８】
上述した方法、装置、および非一時的コンピュータ可読媒体のいくつかの例は、単一のLBT予約メッセージの送信を繰り返すことに先立って、LBTシンボル中に単一のサイクリックプレフィックスを送信するためのプロセス、特徴、手段、または命令をさらに含み得る。
【００１９】
上述した方法、装置、および非一時的コンピュータ可読媒体のいくつかの例は、送信のリスニングが実施され得るシンボルに続くシンボルをカウントするためのLBTカウンタを開始するためのプロセス、特徴、手段、または命令をさらに含み得る。
【００２０】
上述した方法、装置、および非一時的コンピュータ可読媒体のいくつかの例では、LBT予約メッセージは、LBTカウンタに少なくとも部分的に基づいて判断された予約シンボル中に送信され得る。
【００２１】
上述した方法、装置、および非一時的コンピュータ可読媒体のいくつかの例では、LBT予約メッセージは、リスニングのために割り振られたシンボルの後のシンボル中に送信され得る。
【００２２】
上述した方法、装置、および非一時的コンピュータ可読媒体のいくつかの例では、リスニングのために割り振られたシンボルの後のシンボルは、ギャップシンボルに続く。
【００２３】
上述した方法、装置、および非一時的コンピュータ可読媒体のいくつかの例では、データのサイズは、複数のTTIに対応するサイズ閾を超える。
【００２４】
上述した方法、装置、および非一時的コンピュータ可読媒体のいくつかの例では、データはレイテンシ閾を超える。
【００２５】
上述した方法、装置、および非一時的コンピュータ可読媒体のいくつかの例では、データは、超高信頼低レイテンシ通信(URLLC)データを含む。
【００２６】
ワイヤレス通信の方法について記載する。この方法は、データの第1の部分を車両から受信するステップを含み得る。データの第1の部分は、第1のTTIのデータシンボルおよびギャップシンボル中に受信されてよく、第1のTTIは、車両間通信用に割り振られた共有無線周波数スペクトル帯域内で、データ通信用に割り振られ得る。方法は、共有無線周波数スペクトル帯域内の少なくとも第2のTTIのシンボル中に、データの第2の部分を車両から受信するステップをさらに含み得る。第2のTTIは第1のTTIに隣接してよく、第2のTTIのシンボルは、第1のTTIのデータシンボルと連結され得る。
【００２７】
ワイヤレス通信のための装置について記載する。装置は、車両間通信用に割り振られた共有無線周波数スペクトル帯域内の第1のTTIのデータシンボルおよびギャップシンボル中に、データの第1の部分を車両から受信するための手段を含み得る。第1のTTIは、データ通信用に割り振られ得る。装置は、共有無線周波数スペクトル帯域内の少なくとも第2のTTIのシンボル中に、データの第2の部分を車両から受信するための手段をさらに含み得る。第2のTTIは第1のTTIに隣接してよく、第2のTTIのシンボルは、第1のTTIのデータシンボルと連結され得る。
【００２８】
ワイヤレス通信のための別の装置について記載する。装置は、プロセッサ、プロセッサと電子通信しているメモリ、およびメモリに記憶された命令を含み得る。命令は、プロセッサに、車両間通信用に割り振られた共有無線周波数スペクトル帯域内の第1のTTIのデータシンボルおよびギャップシンボル中に、データの第1の部分を車両から受信させるように動作可能であってよく、第1のTTIはデータ通信用に割り振られ得る。命令は、共有無線周波数スペクトル帯域内の少なくとも第2のTTIのシンボル中に、データの第2の部分を車両から受信するように、さらに動作可能であり得る。第2のTTIは第1のTTIに隣接してよく、第2のTTIのシンボルは、第1のTTIのデータシンボルと連結され得る。
【００２９】
ワイヤレス通信のための非一時的コンピュータ可読媒体について記載する。非一時的コンピュータ可読媒体は、プロセッサに、車両間通信用に割り振られた共有無線周波数スペクトル帯域内の第1のTTIのデータシンボルおよびギャップシンボル中に、データの第1の部分を車両から受信させるように動作可能な命令を含んでよく、第1のTTIはデータ通信用に割り振られ得る。命令は、プロセッサに、共有無線周波数スペクトル帯域内の少なくとも第2のTTIのシンボル中に、データの第2の部分を車両から受信させるようにさらに動作可能であり得る。第2のTTIは第1のTTIに隣接してよく、第2のTTIのシンボルは、第1のTTIのデータシンボルと連結され得る。
【００３０】
上述した方法、装置、および非一時的コンピュータ可読媒体のいくつかの例では、第2のTTIの連結シンボルは、制御シンボルのセット、LBTシンボルのセット、データシンボルのセット、またはそれらの組合せを含む。
【００３１】
上述した方法、装置、および非一時的コンピュータ可読媒体のいくつかの例は、データの第2の部分が、第2のTTIの連結されたデータシンボル中に送信される予定であるという指示を受信するためのプロセス、特徴、手段、または命令をさらに含み得る。
【００３２】
上述した方法、装置、および非一時的コンピュータ可読媒体のいくつかの例では、指示は、第1のTTIの制御シンボル中に制御チャネルを介して受信され得る制御メッセージ中に含まれ得る。
【００３３】
上述した方法、装置、および非一時的コンピュータ可読媒体のいくつかの例では、データが受信され得るTTIの数は、TTIの閾数を下回り得る。
【００３４】
上述した方法、装置、および非一時的コンピュータ可読媒体のいくつかの例では、第2のTTIは制御通信用に割り振られ得る。
【００３５】
上述した方法、装置、および非一時的コンピュータ可読媒体のいくつかの例では、データのサイズは、複数のTTIに対応するサイズ閾を超える。
【００３６】
上述した方法、装置、および非一時的コンピュータ可読媒体のいくつかの例では、データはレイテンシ閾を超える。
【００３７】
上述した方法、装置、および非一時的コンピュータ可読媒体のいくつかの例では、データはURLLCデータを含む。
【図面の簡単な説明】
【００３８】
【図１】本開示の態様による、ワイヤレス通信システムのための送信時間間隔(TTI)バンドリングをサポートするワイヤレス通信のためのシステムの例を示す図である。
【図２】本開示の1つまたは複数の態様による、ワイヤレス通信システムのためのTTIバンドリングをサポートするワイヤレス通信システムの例を示す図である。
【図３】本開示の1つまたは複数の態様による、ワイヤレス通信システムのためのTTIバンドリングをサポートするTTIバンドリング方式の例を示す図である。
【図４】本開示の1つまたは複数の態様による、ワイヤレス通信システムのためのTTIバンドリングをサポートするTTIバンドリング方式の例を示す図である。
【図５】本開示の1つまたは複数の態様による、ワイヤレス通信システムのためのTTIバンドリングをサポートするプロセスフローの例を示す図である。
【図６】本開示の1つまたは複数の態様による、ワイヤレス通信システムのためのTTIバンドリングをサポートするプロセスフローの例を示す図である。
【図７】本開示の1つまたは複数の態様による、ワイヤレス通信システムのためのTTIバンドリングをサポートするデバイスのブロック図である。
【図８】本開示の1つまたは複数の態様による、ワイヤレス通信システムのためのTTIバンドリングをサポートするデバイスのブロック図である。
【図９】本開示の1つまたは複数の態様による、ワイヤレス通信システムのためのTTIバンドリングをサポートするデバイスのブロック図である。
【図１０】本開示の1つまたは複数の態様による、ワイヤレス通信システムのためのTTIバンドリングをサポートするユーザ機器(UE)を含むシステムのブロック図である。
【図１１】本開示の1つまたは複数の態様による、ワイヤレス通信システムのためのTTIバンドリングの方法を示す図である。
【図１２】本開示の1つまたは複数の態様による、ワイヤレス通信システムのためのTTIバンドリングの方法を示す図である。
【発明を実施するための形態】
【００３９】
ワイヤレス通信システムでは、2つ以上のユーザ機器(UE)が、認可および無認可(共有)無線周波数スペクトル帯域リソースを介して直接通信する場合がある。共有リソースのアクセスを求めて競合するために、UEは、リッスンビフォアトーク(LBT)機構またはクリアチャネルアセスメント(CCA)手順など、複数のサービスをサポートすればよい。LBT機構は、制御およびデータ送信に関連して、送信時間間隔(TTI)内の1つまたは複数のシンボルを占有し得る。いくつかのケースでは、UEは、単一のTTI用に割り振られたリソースを超えるデータペイロードを送信しようと試み得る。そのような事例では、UEが、送信されるべきデータのサイズを判断し、データの送信のためにTTIバンドリングを実装することが有益であり得る。いくつかの例では、TTIバンドリングを実施するかどうかを判断することは、他の要因の中でも、送信されるべきデータ(たとえば、低レイテンシ規格を有するデータ)のタイプまたはデータサイズと閾の比較に基づき得る。
【００４０】
本開示の態様によると、UEは、共有無線周波数スペクトル帯域のキャリア(たとえば、チャネル、サブバンド)を介した車車間路車間(V2X:vehicle-to-everything)通信用に構成され得る。いくつかのケースでは、UEはLBT受信を実施することができ、ここで、UEは、UEによる使用にリソースが対応できるかどうかを判断するために、共有無線周波数スペクトル帯域のキャリアを介した通信をリッスンする。いくつかのケースでは、UEは、第2のUEから制御情報を受信することができ、この情報は、データ送信が、システム内の第2のUEまたは他のUE用にスケジュールされていることを示し得る。制御情報は、UEでの実装のために、スケジュールされたデータ送信によって占有されるキャリアを介してLBT手順を実施するのを控えるための命令を含み得る。いくつかの事例では、制御情報は、スケジュールされたデータ送信の持続時間を示すことができる。データ送信に続いて、UEは、LBT受信を再開し、キャリアへのアクセスを求めて再度競合し得る。
【００４１】
LBT受信中、UEは、共有無線周波数スペクトル帯域内のリソースのセットのアクセスを判断し、アクセスを求めて競合し得る。LBT受信の後、UEは、その構成を、受信ベースの構成から送信ベースの構成へ切り替えることによって修正し、LBT送信を開始することができる。LBT送信手順は、LBT予約メッセージのLBTシーケンスの送信を含むことができ、この送信は、LBT送信用に割り振られた1つまたは複数のシンボル内で繰り返されてよい。いくつかの例では、UEは、LBT受信および構成修正をスキップし、TTIの1つまたは複数のシンボル(たとえば、TTIの第1の1つまたは複数のシンボル)内で拡張LBT送信を開始するように構成され得る。LBTシーケンスは、後続制御チャネル送信を示し得る1つまたは複数の識別子を含み得る。いくつかのケースでは、LBT予約メッセージは、LBT送信の一部分にわたり得る。LBTシーケンスは、LBT予約メッセージ内で繰り返されてよく、1つまたは複数のサイクリックプレフィックスを含み得る。
【００４２】
LBT送信に続いて、UEは、データペイロードに関連付けられたデータサイズまたはタイプを判断することができ、いくつかのケースでは、データサイズまたはタイプに基づいて制御情報を送信することができる。所与の閾を超えるか、または満足するデータ用に、UEは、TTIバンドリングを実装すればよく、バンドリングされたTTIの第1のTTIの後のTTI内の1つまたは複数のシンボルの構成を修正すればよい。UEは次いで、1つまたは複数のTTIにわたるデータ送信を、共有周波数帯域幅のサブバンドを介して実施することができる。制御情報が、TTIバンドリングが実施されることを示すとき、UEは、データを送信するために、第1のTTIのギャップシンボル、LBTシンボル、および後続TTIの制御シンボルを使うことができる。いくつかのケースでは、バンドリングされたTTIのLBTおよび制御シンボルの動的使用は、第1のTTI中に送信され得る制御情報の一部として示され得る。
【００４３】
最初にワイヤレス通信システムの文脈で本開示の態様が記載される。態様は、TTIバンドリング方式およびプロセスフローの文脈でも記載される。本開示の態様は、ワイヤレス通信システムのためのTTIバンドリングに関する装置図、システム図、およびフローチャートによってさらに図示され、それらを参照して説明される。
【００４４】
図1は、本開示の1つまたは複数の態様によるワイヤレス通信システム100の例を示す。ワイヤレス通信システム100は、基地局105(たとえば、次世代ノードB(gNB)、および/または無線ヘッド(RH))と、UE115と、コアネットワーク130とを含む。いくつかの例では、ワイヤレス通信システム100は、ロングタームエボリューション(LTE)システム、LTEアドバンスト(LTE-A)システム、または新規無線(NR)システムなどの認可システムであり得る。いくつかの態様では、ワイヤレス通信システム100は、無認可または共有システムであり得る。ワイヤレス通信システム100は、拡張ブロードバンド通信、超高信頼(すなわち、ミッションクリティカル)通信、低レイテンシ通信、および低コストで低複雑度のデバイスとの通信をサポートし得る。
【００４５】
基地局105は、1つまたは複数の基地局アンテナを介してUE115とワイヤレス通信することができる。各基地局105は、それぞれの地理的カバレージエリア110に通信カバレージを提供することができる。ワイヤレス通信システム100において示される通信リンク125は、UE115から基地局105へのアップリンク送信、または基地局105からUE115へのダウンリンク送信を含み得る。UE115は、通信リンク135を通してコアネットワーク130と通信し得る。
【００４６】
制御情報およびデータは、様々な技法に従ってアップリンクチャネル上またはダウンリンクチャネル上で多重化され得る。制御情報およびデータは、たとえば、時分割多重(TDM)技法、周波数分割多重(FDM)技法、またはハイブリッドTDM-FDM技法を使用して、ダウンリンクチャネル上で多重化され得る。いくつかの例では、ダウンリンクチャネルのTTIの間に送信される制御情報は、カスケード方式で異なる制御領域の間に(たとえば、共通制御領域と1つまたは複数のUE固有制御領域との間に)分散されることがある。
【００４７】
UE115はワイヤレス通信システム100全体にわたって分散されてよく、各UE115は固定またはモバイルであってよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、あらゆるモノのインターネット(IoE)デバイス、マシンタイプ通信(MTC)デバイス、機器、車両などであってよい。
【００４８】
場合によっては、UE115はまた、(たとえば、ピアツーピア(P2P)またはデバイスツーデバイス(D2D)プロトコルを使用して)他のUE115と直接通信することが可能であってもよい。D2D通信を利用するUE115のグループのうちの1つまたは複数は、セルのカバレージエリア110内にあってよい。そのようなグループの中の他のUE115は、セルのカバレージエリア110の外側にあってよく、またはさもなければ基地局105から送信を受信できないことがある。いくつかのケースでは、D2D通信を介して通信するUE115のグループは、各UE115がグループの中の他のすべての他のUE115に送信する1対多(1:M)システムを使用し得る。いくつかのケースでは、基地局105は、D2D通信のためのリソースのスケジューリングを円滑にする。他のケースでは、D2D通信は、基地局105とは無関係に実践される。
【００４９】
MTCデバイスまたはIoTデバイスなどのいくつかのUE115は、低コストまたは低複雑度のデバイスであってよく、機械間の自動化された通信、すなわち、マシンツーマシン(M2M)通信を提供し得る。M2MまたはMTCは、人が介在することなく、デバイスが互いにまたは基地局105と通信することを可能するデータ通信技術を指すことがある。たとえば、M2MまたはMTCは、センサもしくはメーターを組み込んで情報を測定または捕捉し、その情報を利用することができる中央サーバもしくはアプリケーションプログラムにその情報を中継する、またはプログラムもしくはアプリケーションと対話する人間に情報を提示する、デバイスからの通信を指すことがある。いくつかのUE115は、情報を収集するように、またはマシンの自動化された挙動を可能にするように設計され得る。MTCデバイスの用途の例には、スマートメータリング、在庫モニタリング、水位モニタリング、機器モニタリング、医療モニタリング、野生生物モニタリング、天候および地質学的事象モニタリング、船団管理および追跡、リモートセキュリティ検知、物理的アクセス制御、ならびに取引ベースのビジネス課金がある。
【００５０】
いくつかのケースでは、MTCデバイスは、低減されたピークレートで半二重(一方向)通信を使用して動作し得る。MTCデバイスはまた、アクティブ通信に関与していないとき、電力節約「ディープスリープ」モードに入るように構成され得る。いくつかのケースでは、MTCまたはIoTデバイスはミッションクリティカル機能をサポートするように設計されることがあり、ワイヤレス通信システム100はこれらの機能のために超高信頼性通信を提供するように構成されることがある。
【００５１】
基地局105は、コアネットワーク130と、および互いと通信し得る。たとえば、基地局105は、バックホールリンク132(たとえば、S1、S2)を通してコアネットワーク130とインターフェースすることがある。基地局105は、バックホールリンク134(たとえば、X1、X2)を介して、直接または間接的に(たとえば、コアネットワーク130を通して)のいずれかで互いと通信し得る。基地局105は、UE115との通信用の無線構成およびスケジューリングを実施してよく、または基地局コントローラ(図示せず)の制御下で動作してよい。いくつかの例では、基地局105は、マクロセル、スモールセル、ホットスポットなどであってよい。基地局105は、発展型ノードB(eNB)105と呼ばれることもある。
【００５２】
基地局105は、S1インターフェースによってコアネットワーク130に接続され得る。コアネットワーク130は、発展型パケットコア(EPC)であってよく、発展型パケットコア(EPC)は、少なくとも1つのモビリティ管理エンティティ(MME)、少なくとも1つのサービングゲートウェイ(S-GW)、および少なくとも1つのパケットデータネットワーク(PDN)ゲートウェイ(P-GW)を含み得る。MMEは、UE115とEPCとの間のシグナリングを処理する制御ノードであってよい。すべてのユーザインターネットプロトコル(IP)パケットは、それ自体がP-GWに接続され得るS-GWを通して転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、およびパケット交換(PS)ストリーミングサービスを含み得る。
【００５３】
コアネットワーク130は、ユーザ認証、アクセス許可、トラッキング、IP接続性、および他のアクセス機能、ルーティング機能、またはモビリティ機能を提供し得る。基地局105(たとえば、eNB、gNB)のうちの少なくともいくつかは、アクセスネットワークエンティティなどの下位構成要素を含むことがあり、アクセスネットワークエンティティはアクセスノードコントローラ(ANC)の例であることがある。各アクセスネットワークエンティティは、その各々がスマートRH、または送受信ポイント(TRP)の例であり得る、いくつかの他のアクセスネットワーク送信エンティティを通して、いくつかのUE115と通信し得る。いくつかの構成では、各アクセスネットワークエンティティまたは基地局105の様々な機能が、様々なネットワークデバイス(たとえば、RHおよびANC)にわたって分散されること、または単一のネットワークデバイス(たとえば、基地局105)に統合されることがある。
【００５４】
いくつかのケースでは、ワイヤレス通信システム100は、階層化プロトコルスタックに従って動作するパケットベースネットワークであってよい。ユーザプレーンでは、ベアラまたはパケットデータコンバージェンスプロトコル(PDCP)レイヤにおける通信は、IPベースであってよい。無線リンク制御(RLC)レイヤは、いくつかのケースでは、論理チャネル上で通信するために、パケットのセグメント化および再アセンブリを実施し得る。媒体アクセス制御(MAC)レイヤは、優先度処理および論理チャネルのトランスポートチャネルへの多重化を実施することができる。MACレイヤはまた、MACレイヤにおける再送信を行ってリンク効率を改善するために、ハイブリッドARQ(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理レイヤにおいて、トランスポートチャネルが物理チャネルにマッピングされることがある。
【００５５】
無認可ネットワークまたは共有スペクトルシステムでは、共有無線周波数スペクトル帯域が使用され得る。たとえば、NR共有スペクトルは、特に、認可スペクトル、共有スペクトル、および無認可スペクトルの任意の組合せを使用し得る。拡張コンポーネントキャリア(eCC)シンボル持続時間およびサブキャリア間隔の柔軟性によって、複数のスペクトルにわたってeCCを使用することが可能になる場合がある。いくつかの例では、特にリソースの動的な垂直方向(たとえば、周波数にわたる)および水平方向(たとえば、時間にわたる)の共有によって、NR共有スペクトルは、スペクトル利用率およびスペクトル効率を高め得る。
【００５６】
いくつかのケースでは、ワイヤレスシステム100は、認可無線周波数スペクトル帯域と無認可無線周波数スペクトル帯域の両方を使用し得る。たとえば、ワイヤレスシステム100は、5GHz産業、科学、および医療(ISM)帯域などの無認可帯域においてLTEライセンス補助アクセス(LTE-LAA)もしくはLTE無認可(LTE U)無線アクセス技術またはNR技術を採用することができる。無認可無線周波数スペクトル帯域の中で動作するとき、基地局105およびUE115などのワイヤレスデバイスは、データを送信する前にチャネルがクリアであることを保証するためにLBT手順を採用し得る。いくつかのケースでは、無認可帯域の中での動作は、認可帯域の中で動作するコンポーネントキャリア(CC)と結合したキャリアアグリゲーション(CA)構成に基づいてよい。無認可スペクトルにおける動作は、ダウンリンク送信、アップリンク送信、または両方を含み得る。無認可スペクトルの中での複信は、周波数分割複信(FDD)、時分割複信(TDD)、またはその両方の組合せに基づいてよい。
【００５７】
ワイヤレス通信システム100は、無認可(共有)無線周波数スペクトル帯域におけるV2X通信をサポートすることができる。たとえば、UE115は、共有周波数帯域幅内の1つまたは複数のキャリアを介するダイレクトワイヤレスリンク(たとえば、PC5インターフェースリンク)により、1つまたは複数の近隣UE115と通信することができる。UE115は、V2X通信プロトコルと一致するやり方であって、共有周波数帯域幅を介して通信するための規制規格(すなわち、媒体アクセス規格)に準拠するやり方で、V2X通信を実施することができる。
【００５８】
UE115はTTIバンドリングマネージャ150を含むことができ、これは、車両などのUEへ送信されるべきデータが、特定のタイプであるか、または閾を満足すると判断し得る。閾は、所定であり、制御情報を通して取得され、またはそうでなければUE115において事前構成されてよい。いくつかのケースでは、データは、第1および第2のTTIの両方を含むバンドリングされたTTIを使って、第1の車両から第2の車両へ、共有無線周波数スペクトル帯域を介して送信されるべきである。TTIバンドリングマネージャ150は、バンドリングされたTTIを介した送信にリソースが利用可能であるかどうかを判断するために、共有スペクトルのキャリア上でLBT手順を実施するために使われ得る。いくつかの例では、十分なリソースが利用可能である場合、TTIバンドリングマネージャ150は、複数のTTIの各々の、制御シンボル、LBTシンボル、データシンボル、またはそれらの組合せを使ってデータが送信されるという指示を送信すればよい。第2のTTIのシンボルは第1のTTIと連結されてよく、データは、第1のTTIのシンボルおよび第2のTTIの連結シンボルを介して送信されてよい。いくつかの態様において、連結シンボルは、制御シンボル、LBTシンボル、またはデータシンボルを含む。
【００５９】
ワイヤレス通信システム100内のUE115のうちの1つまたは複数が、LBTカウンタを生成するように構成され得る。LBTカウンタは、LBT送信を実装するために使われるタイミング機構として働き得る。LBT送信は、LBT予約メッセージを含み得る。いくつかのケースでは、UE115は、1つまたは複数の他のUE115とは別個のLBTカウンタ値を有して構成され得る。TTI内において、UE115はLBT手順を実装することができ、この手順は、LBT受信(たとえば、CCA手順)、LBTカウンタによるLBT送信、または両方を含み得る。LBT受信手順およびLBT送信手順は、ギャップ期間(たとえば、構成修正のために使われる)によって分離され得る。いくつかのケースでは、UE115は、制御チャネル送信および後続データ送信を行うことができる。データ送信は、単一のTTIまたは1つもしくは複数のバンドリングされたTTIにわたり得る。TTIバンドリングを使用するとき、送信の初期TTIの後の各TTIは、LBT、制御チャネル指示、アップリンク送信、またはUE構成修正(たとえば、受信から送信への構成ターンアラウンド)用に割り振られたシンボルのうちの1つまたは複数がデータを含み得るように修正されてよい。
【００６０】
図2は、本開示の1つまたは複数の態様による、ワイヤレス通信システムのためのTTIバンドリングをサポートするワイヤレス通信システム200の例を示す。いくつかの例では、ワイヤレス通信システム200は、ワイヤレス通信システム100の態様を実装し得る。
【００６１】
いくつかの例では、ワイヤレス通信システム200は、ワイヤレス通信システム100の態様を実装し得る。ワイヤレス通信システム200は、UE115-aおよび115-bを、1つまたは複数の対応するUEとともに含み得る。UE115-aおよび/または115-bは、図1を参照して説明したUE115の例(たとえば、電話、ラップトップ、車両)であってよく、共有周波数帯域幅の1つまたは複数のキャリアを介したV2X通信用に構成され得る。いくつかの例では、UE115-aおよび115-bなどの車両は、デバイスの機能要素を制御するためのコードまたはシーケンスの1つまたは複数のセットを実行し、以下で説明する機能の一部または全部を実施し得る。
【００６２】
UE115-aおよび115-bは、1つまたは複数のLBT機構を実装し、周波数帯域幅のサブバンドへのアクセスを求めて競合し得る。UE115-aおよび115-bの各々は、ランダムに生成され得るLBTを生成し、LBT手順を実施するかどうかを判断するように構成され得る。LBTカウンタ値に基づいて、UE115-aおよび115-bはLBT手順を開始することができ、この手順は、LBT受信、LBT送信、または両方を含み得る。いくつかの例では、LBTカウンタは、1を除く非負整数値をとることができる。いくつかのケースでは、LBTカウンタは、現在のTTI中のLBT送信用に指定されたシンボル値に対応し得る。
【００６３】
いくつかのケースでは、UE115-a、UE115-b、または両方が、1を超える整数値のLBTカウンタを有して構成され得る。そのような事例では、UE115-aおよび/または115-bは、現在のTTIの初期シンボル中にLBT受信を開始することができる。LBT受信手順は、TTIの1つまたは複数のシンボルにわたる場合があり、UE115が、1つまたは複数のキャリアを介するデータトラフィックをリッスンし、検出することを伴い得る。リッスンしたことに基づいて、UE115は、共有無線周波数スペクトル帯域内の利用可能リソースを求めて競合し得る。LBT受信は、CCA手順を伴い得るか、またはヘッダー情報を復号して、干渉する送信のソースを識別することを含み得る。キャリアのリソースへのアクセスを得ると、UE115は、受信ベースの構成から送信ベースの構成へ切り替え、TTIの1つまたは複数の後続シンボル内でLBT送信を開始してよい。LBT予約メッセージが送信されてよく、LBTシーケンス、他のデバイスによって占有されるリソースの指示、ならびに制御チャネル送信の指示を含み得る。いくつかのケースでは、LBT予約メッセージは、LBT送信の一部分にわたる場合があり、受信側UE115が、LBT送信に同期して自動利得制御(AGC)設定を変えることになる。いくつかの例では、UE115は、LBTシーケンスを繰り返し、または1つもしくは複数のサイクリックプレフィックスを使用して、送信されたLBTシーケンスのスループットを改善することができる。
【００６４】
UE115は、送信されるデータペイロードを評価し、データタイプを、またはデータペイロードがUE115において閾を満足するかどうかを、判断することができる。閾を超える場合、UE115は、データペイロード送信のためのTTIバンドリング実装を決定してよい。たとえば、UE115は、サイズ閾を超えるデータペイロードに対してTTIバンドリングを実装することができる。追加または代替として、UE115は、特定のデータタイプ(たとえば、超高信頼低レイテンシ通信(URLLC)データ)に対してTTIバンドリングを実装することができる。UE115は次いで、制御チャネル送信を実施することができ、制御チャネル送信の1つまたは複数のCCEは、データ送信の持続時間の指示を含み得る。TTIバンドリングのケースに対して、UE115は、データ送信のためのTTIバンドリングを示す制御情報と、データ送信の初期TTIに続く各後続TTIの構成に関連した情報とを提供し得る。具体的には、制御情報は、送信の現在のTTIの後に続くTTI内のシンボル(たとえば、制御シンボルまたはLBTシンボル)のうちの1つまたは複数が、データ情報を含むように修正されてよいという指示を含み得る。
【００６５】
TTIバンドリングの指示を送信した後、UE115は次いで、バンドリングされたTTIを介してデータ送信を実施してよい。いくつかのケースでは、UE115は、制御チャネル送信において示されるように、現在のTTIならびにバンドリングされたTTIのうちの1つまたは複数の、1つまたは複数のシンボル中にデータを送信することができる。いくつかのケースでは、UE115は、データ送信の初期TTIの後に続く1つまたは複数のTTIの構成を修正してよい。具体的には、UE115は、LBT、制御、アップリンク、またはUE構成修正(たとえば、受信から送信への構成ターンアラウンド)用に割り振られたシンボルのうちの1つまたは複数を、送信中のデータを含むように修正すればよい。バンドリングされたTTIのTTI(たとえば、最後のTTI)内で、データは、アップリンク送信用に割り振られた1つまたは複数のシンボルに先行してよく、その後に、次のTTIと共通境界を共有するガード期間が続き得る。いくつかのケースでは、UE115は、送信ベースの構成から受信ベースの構成への切り替えるための(たとえば、次のTTI中の起こり得るLBT受信手順のための)ガード期間を割り振ることができる。
【００６６】
いくつかの例では、ワイヤレス通信システム200のUE115-aが、LBT送信および後続制御チャネル送信をUE115-bから受信し得る。UE115-aは、TTIバンドリングの指示を含み得る、UE115-bから受信された制御チャネル送信を識別し、復号することができる。UE115-aは次いで、データ送信の残りについて競合するのをやめるか、または競合するのを控えればよい。いくつかのケースでは、UE115-aは、制御チャネル送信によって示されるキャリアへのアクセスを求めて競合するのを控え得る。他のケースでは、UE115-aは、共有無線周波数スペクトル帯域のすべての周波数リソースへのアクセスを求めて(たとえば、データ送信の持続時間を求めて)競合するのを控え得る。
【００６７】
いくつかの例では、UE115は、整数値0のLBTカウンタを有して構成され得る。そのようなケースでは、UE115は、LBT受信手順をせずに、LBT送信を開始することができ、この送信は、(たとえば、現在のTTIの初期シンボルのLBTリソースによる)LBT予約メッセージの送信を含み得る。そのような事例では、UE115が初期シンボルより先にはLBT受信手順を行わない場合があるので、受信ベースの構成から送信ベースの構成へ切り替えるためのガード期間は使われなくてよい。
【００６８】
いくつかのケースでは、UE115は、データトラフィック用の周波数帯域幅を評価することも、アクセス競合手順(たとえば、CCA手順)を開始することもなく、リソースを選択する場合がある。たとえば、UE115はLBT予約メッセージを送信することができ、このメッセージは、LBTシーケンス、占有されるリソースの指示、ならびに制御チャネル送信の指示を含み得る。いくつかのケースでは、LBT予約メッセージは、LBT送信の一部分にわたる場合があり、これにより、受信側UE115が、LBT送信に同期してAGC設定を変えることになり得る。たとえば、UE115-aおよび/またはUE115-bは、受信機における電力飽和を緩和するために、AGC変更を実装することができる。いくつかのケースでは、UE115は、(たとえば、送信されたLBTシーケンスのスループットを改善するために)LBTシーケンスを繰り返し、または1つもしくは複数のサイクリックプレフィックスを使用することができる。
【００６９】
図3は、本開示の1つまたは複数の態様による、ワイヤレス通信システムのためのTTIバンドリングをサポートするTTIバンドリング方式300の例を示す。いくつかの例では、TTIバンドリング方式300は、図1および図2を参照して記載したワイヤレス通信システム100または200の態様を実装することができる。示すように、TTIバンドリング方式300は、第1のキャリア305-aおよび第2のキャリア305-bならびに第1のTTI310および第2のTTI315を含む。いくつかの例では、第1のTTI310および第2のTTI315は、バンドリングされたTTIを構成し得る。
【００７０】
UE115は、無認可または共有無線周波数スペクトル帯域などの共有リソースを介したV2X通信用に構成され得る。UE115は、LBTカウンタを利用する1つまたは複数のLBT機構を実施することが可能であり得る。図3の例に示すように、UE115は、2のLBTカウンタを有して構成されてよく、したがって、LBT送信に先立ってLBT受信を実施することができる。第1のTTI310のシンボル0中に、UE115はLBT受信を実施することができる。LBT受信中、UE115は、1つまたは複数のキャリア305を監視し、データトラフィックをリッスンして、共有無線周波数スペクトル帯域のリソースが使用に対応できるかどうかを判断することができる。リソースが利用可能送信であると判断すると、UE115は、シンボル1内に、受信ベースの構成から送信ベースの構成へ切り替えてよい。シンボル2において、UE115は、LBT送信手順を開始してよく、この手順は、LBT予約メッセージ内でのLBTシーケンスの送信を含み得る。LBT予約メッセージは、UE115による送信用に使われる予定であるリソースの指示を含み得る。いくつかのケースでは、LBT予約メッセージは、LBT送信の一部分にわたる場合があり、1つまたは複数の受信側UE115が、LBT送信に同期してAGC設定を変えることになる。いくつかのケースでは、UE115は、送信されたLBTシーケンスのスループットを改善するために、LBTシーケンスを、LBT送信内で繰り返され、サイクリックプレフィックスを含むように構成してよい。
【００７１】
UE115は、送信用のデータペイロードのデータタイプまたはサイズを判断し得る。いくつかのケースでは、UEは、データペイロードが閾を超えると判断し得る。判断に基づいて、UE115は、第1のTTI310および第2のTTI315を含むバンドリングされたTTIにわたってデータペイロードを送信するためのTTIバンドリングを実装してよい。UE115は、第1のTTI310のシンボル3中で制御情報を送信することができ、いくつかの事例では、制御送信の1つまたは複数のCCEは、TTIバンドリングの指示を含み得る(たとえば、制御情報は、データ送信が第1のTTI310と第2のもの315の両方にわたることを示し得る)。制御情報はまた、データを含むべきである、第2のTTI315中のシンボル(たとえば、LBTシンボル、制御シンボル、データシンボル)のうちの1つまたは複数を示す。
【００７２】
UE115は次いで、第1のTTI310の複数のシンボルならびに第1のTTI310の1つまたは複数のシンボルと連結される、第2のTTI315のシンボルにわたってデータ送信を実施することができる。いくつかの例では、UE115は、第2のTTI315のLBT、制御情報、アップリンク、またはUE構成修正(たとえば、受信から送信への構成ターンアラウンド)用に割り振られたシンボルのうちの1つまたは複数を、バンドリングされたTTIにわたる送信中のデータを含むように修正してよい。いくつかの態様によると、UE115は、第2のTTI315の最後のシンボルをアップリンク送信用に指定し得る。最後のシンボルには、次のTTIと共通境界を共有するガード期間320が続き得る。ガード期間320中に、UE115は、(たとえば、次のTTI中の起こり得るLBT受信手順のために)送信ベースの構成から受信ベースの構成へ切り替え得る。
【００７３】
図4は、本開示の1つまたは複数の態様による、ワイヤレス通信システムのためのTTIバンドリングをサポートするTTIバンドリング方式400の例を示す。いくつかの例では、TTIバンドリング方式400は、図1および図2を参照して記載したワイヤレス通信システム100または200の態様を実装することができる。示すように、TTIバンドリング方式400は、第1のキャリア405-aおよび第2のキャリア405-bならびに第1のTTI410および第2のTTI415を含む。いくつかの例では、第1のTTI410および第2のTTI415は、バンドリングされたTTIを構成し得る。
【００７４】
UE115は、無認可または共有無線周波数スペクトル帯域などの共有リソースを介したV2X通信用に構成され得る。UE115は、LBTカウンタを利用する1つまたは複数のLBT機構を実施することが可能であり得る。図4の例に示すように、UE115は、0のLBTカウンタを有して構成されてよく、したがって、LBT受信手順をやめてよい。UE115は、共有無線周波数スペクトル帯域のキャリア405-aおよび405-bにアクセスし、予約し、第1のTTI410のシンボル0中にLBT送信を開始することができる。LBT送信は、第1のTTI410の最初の3つのシンボル(シンボル0、1、および2)に及び得る。いくつかの例では、LBT送信はLBT予約メッセージを含んでよく、このメッセージはLBTシーケンスを含み得る。LBT送信は、UE115によって使われるべきリソースの指示、および後続制御チャネル送信の指示も含み得る。LBT予約メッセージは、LBT送信用に割り振られたいくつかのシンボルの一部分にわたる場合があり、これにより、1つまたは複数の受信側UEが、LBT送信と同期してAGC設定を変えることになり得る。いくつかのケースでは、UE115は、LBT送信を、シンボル0、1、および2の総計持続時間の一部分にわたるとともに、LBT送信のサイクリックプレフィックスを含むように構成してよい。他のケースでは、UE115は、LBT送信を、シンボル0、1、および2の各々の特定の部分に個々にわたるとともに、各シンボルに対してLBT送信のサイクリックプレフィックスを含むように構成してよい。UE115は、送信用のデータペイロードのデータタイプまたはサイズを判断し得る。いくつかのケースでは、UEは、データペイロードが閾を超えると判断し得る。判断に基づいて、UE115は、第1のTTI410および第2のTTI415を含むバンドリングされたTTIにわたってデータペイロードを送信するためのTTIバンドリングを実装してよい。UE115は、第1のTTI410のシンボル3中で制御情報を送信することができ、いくつかの事例では、制御送信の1つまたは複数のCCEは、TTIバンドリングの指示を含み得る(たとえば、制御情報は、データ送信が第1のTTI410と第2のもの415の両方にわたることを示し得る)。制御情報はまた、データを含むべきである、第2のTTI415中のシンボル(たとえば、LBTシンボル、制御シンボル、データシンボル)のうちの1つまたは複数を示す。
【００７５】
UE115は次いで、第1のTTI410の複数のシンボルならびに第1のTTI410の1つまたは複数のシンボルと連結される、第2のTTI415のシンボルにわたってデータ送信を実施することができる。いくつかの例では、UE115は、第2のTTI415のLBT、制御情報、アップリンク、またはUE構成修正(たとえば、受信から送信への構成ターンアラウンド)用に割り振られたシンボルのうちの1つまたは複数を、バンドリングされたTTIにわたる送信中のデータを含むように修正してよい。いくつかの態様によると、UE115は、第2のTTI415の最後のシンボルをアップリンク送信用に指定し得る。最後のシンボルには、次のTTIと共通境界を共有するガード期間420が続き得る。ガード期間420中に、UE115は、(たとえば、次のTTI中の起こり得るLBT受信手順のために)送信ベースの構成から受信ベースの構成へ切り替え得る。
【００７６】
図5は、本開示の様々な態様による、ワイヤレス通信システムのためのTTIバンドリングをサポートするプロセスフロー500の例を示す。いくつかの例では、プロセスフロー500は、図1および図2を参照して記載したワイヤレス通信システム100または200の態様を実装することができる。いくつかのケースでは、プロセスフロー500は、図1、図2、または図3を参照して説明したような、UE115など、1つまたは複数の車両によって実施される技法の態様を表し得る。プロセスフロー500内で、UE115-cおよびUE115-dは、1を超える整数値のカウンタを有して構成されてよく、LBT受信およびLBT送信手順の両方を実装することができる。
【００７７】
505において、UE115-cおよび115-dは各々、共有無線周波数スペクトル帯域の1つまたは複数のキャリアを介するデータトラフィックをリッスンするために、LBT受信を実施し得る。LBT受信手順は、第1のTTIの1つまたは複数のシンボルにわたり得る。UE115-cおよびUE115-dは、送信に利用可能なリソースを検出し、識別することができる。LBT受信手順は、CCA手順を伴い得るか、またはヘッダー情報を復号して、検出されたトラフィックのソースを識別することを含み得る。
【００７８】
510において、UE115-dは、未使用であるか、または一定の閾を下回るトラフィックを有するとUE115-dによって識別された利用可能リソースの少なくとも一部分へのアクセスを求めて競合し、アクセスを得ることができる。UE115-dは次いで、TTIの後続シンボル中に、構成されたLBTカウンタを開始し、受信ベースの構成から送信ベースの構成へ切り替えればよい。UE115-dは、ガード期間中に構成切替えを実施し、1つまたは複数の構成要素、ポート、アンテナ、または追加特徴の構成を、制御およびデータ送信用に変えてよい。
【００７９】
515において、UE115-dは、リッスンしたことに少なくとも部分的に基づいて、LBT送信を実施し得る。LBT送信は、LBT予約メッセージと、LBTシーケンスと、後続制御チャネル送信を示す1つまたは複数の識別子とを含み得る。UE115-dは、LBTカウンタに少なくとも部分的に基づいて、ガード期間に続く1つまたは複数のシンボル中に、UE115-cへLBT送信を送信し得る。いくつかのケースでは、LBT予約メッセージは、LBT送信用に割り振られた時間リソースの一部分にわたり得る。受信側UE115-cは、1つまたは複数の対応する受信側UEとともに、受信されたLBT送信と同期して、受信機におけるAGC設定を変えることができる。LBT送信内に含まれるLBTシーケンスは、(たとえば、UE115-cにおけるスループットを改善するために)繰り返されてよく、1つまたは複数のサイクリックプレフィックスを含み得る。
【００８０】
520において、UE115-dは、TTIバンドリングを使うかどうかを判断し得る。いくつかのケースでは、TTIバンドリングを使うかどうかを判断することは、送信されるべきデータのデータタイプまたはサイズを識別することを含み得る。たとえば、データタイプがURLLCデータである場合、またはデータサイズが閾を満足する場合、UE115-dは、データの送信用にTTIバンドリングを実装すると判断してよい。いくつかの事例では、TTIバンドリングは複数のTTIを含んでよく、これは、利用可能TTIの最大数またはサポートされるTTIの最大数に基づき得る。
【００８１】
525において、UE115-dは、(たとえば、UE115-cへの)制御送信を実施し得る。制御送信の1つまたは複数のCCEは、データ送信の持続時間の指示を含み得る。いくつかの例では、UE115-dは、制御送信内でのTTIバンドリングの指示を含み得る。TTIバンドリング指示は、データ送信用にバンドリングされたTTIの数に関連した情報、ならびにデータ送信の初期TTIに続く各後続TTIの構成に関する情報を含み得る。具体的には、UE115-dは、後続TTIのシンボルのうちの1つまたは複数が、データ情報を含むように修正されるべきであることを示すことができる。
【００８２】
さらに、いくつかの実装形態では、UE115-dは、(たとえば、受信側UE115-cへの)制御送信中に命令を送信することができ、命令は、UE115-cなどの各受信側UEが、データ送信に対応する、バンドリングされたTTI中に、またはバンドリングされたTTIを送信するために使われるリソースにわたって、LBT手順を実施するのをやめるか、または控えるための指示を含み得る。
【００８３】
530において、UE115-cは、UE115-dからの制御送信と、バンドリングされたTTI送信の持続時間の指示とを受信し得る。いくつかのケースでは、制御送信に基づいて、UE115-cは、バンドリングされたTTIを介したデータ送信が完了されるまで、LBT受信手順を実施するのをやめるか、または控えてよい。いくつかの事例では、UE115-cは、UE115-dによって使われるキャリアを介したLBT受信をやめてよい。他のケースでは、UE115-cは、共有帯域のすべてのリソースを介したLBT受信をやめてよい。
【００８４】
535において、UE115-dは、バンドリングされたTTIを介してデータ送信を実施し得る。いくつかのケースでは、UE115-dは、初期TTIの後に続く1つまたは複数のTTIの構成を修正し、バンドリングされたTTIにわたるシンボルの連結されたセットにわたって、データを送信することができる。いくつかの実施形態では、UE115-dは、後に続くTTI内のLBT、制御、アップリンク、またはUE構成修正用に割り振られたシンボルのうちの1つまたは複数を、データを含むように修正することができる。バンドリングされたTTIの最後のTTI内で、データは、アップリンク送信用に割り振られた1つまたは複数のシンボルに先行し得る。アップリンク送信用に割り振られたシンボルには、次のTTIと共通境界を共有するガード期間が続き得る。いくつかのケースでは、UE115-cは、バンドリングされたTTIにわたって送信されたデータを受信し、復号し得る。
【００８５】
540において、UE115-cは、LBT受信手順を再開し、共有帯域へのアクセスを求めて競合し得る。いくつかのケースでは、UE115-cは、以前はUE115-dによって占有されていたリソースを介したLBT受信を再開することができる。他のケースでは、UE115-cは、共有周波数帯域幅のすべてのサブキャリアを介したLBT受信を再開し得る。
【００８６】
図6は、本開示の様々な態様による、ワイヤレス通信システムのためのTTIバンドリングをサポートするプロセスフロー600の例を示す。いくつかの例では、プロセスフロー600は、図1および図2を参照して記載したワイヤレス通信システム100または200の態様を実装することができる。いくつかのケースでは、プロセスフロー500は、図1、図2、または図4を参照して説明したような、UE115など、1つまたは複数の車両によって実施される技法の態様を表し得る。プロセスフロー600内で、UE115-fは、整数値0のカウンタを有して構成され、したがって、共有無線周波数スペクトル帯域の1つまたは複数のキャリアを監視することなく、およびLBT受信を実施することなく、LBT送信を行うことができる。
【００８７】
605において、UE115-fは、LBT受信をせずに、LBTカウンタを開始し得る。LBTカウンタに基づいて、UE115-fは、第1のTTIの初期シンボル中にLBT送信を実施することができる。LBT送信は、第1のTTI内の複数のシンボルにわたる場合があり、LBT予約メッセージ、LBTシーケンス、および後続制御チャネル送信の指示を含み得る。いくつかのケースでは、LBT予約メッセージは、LBT送信用に割り振られた時間リソースの一部分にわたり得る。受信側UE115-eは、受信されたLBT送信と同期して、受信機におけるAGC設定を変えることができる。LBT送信内に含まれるLBTシーケンスは、(たとえば、UE115-eにおけるスループットを改善するために)繰り返されてよく、1つまたは複数のサイクリックプレフィックスを含む。
【００８８】
610において、UE115-fは、TTIバンドリングを使うかどうかを判断し得る。いくつかのケースでは、TTIバンドリングを使うかどうかを判断することは、送信されるべきデータのデータタイプまたはサイズを識別することを含み得る。たとえば、データタイプがURLLCデータである場合、またはデータサイズが閾を満足する場合、UE115-fは、データの送信用にTTIバンドリングを実装すると判断してよい。いくつかのケースでは、TTIバンドリングは複数のTTIを含んでよく、これは、利用可能TTIの最大数またはサポートされるTTIの最大数に基づき得る。
【００８９】
615において、UE115-fは、(たとえば、UE115-eへの)制御送信を実施し得る。制御送信の1つまたは複数のCCEは、データ送信の持続時間の指示を含み得る。いくつかの例では、UE115-fは、制御送信内でのTTIバンドリングの指示を含めることができる。TTIバンドリング指示は、データ送信用にバンドリングされたTTIの数に関連した情報、ならびにデータ送信の初期TTIに続く各後続TTIの構成に関する情報を含み得る。具体的には、UE115-fは、後続TTIのシンボルのうちの1つまたは複数が、データ情報を含むように修正されるべきであることを示すことができる。
【００９０】
さらに、いくつかの実装形態では、UE115-fは、(たとえば、受信側UE115-eへの)制御送信中に命令を送信することができ、命令は、UE115-eなどの各受信側UEが、データ送信に対応する、バンドリングされたTTI中に、またはバンドリングされたTTIを送信するために使われるリソースにわたって、LBT手順を実施するのをやめるか、または控えるための指示を含み得る。
【００９１】
620において、UE115-eは、UE115-fからの制御送信と、バンドリングされたTTI送信の持続時間の指示とを受信し得る。いくつかのケースでは、制御送信に基づいて、UE115-eは、バンドリングされたTTIを介したデータ送信が完了されるまで、LBT受信手順を実施するのをやめるか、または控えてよい。いくつかのケースでは、UE115-eは、UE115-fによって使われるキャリアを介したLBT受信をやめてよい。他のケースでは、UE115-eは、共有帯域のすべてのリソースを介したLBT受信をやめてよい。
【００９２】
625において、UE115-fは、バンドリングされたTTIを介してデータ送信を実施し得る。いくつかのケースでは、UE115-fは、初期TTIの後に続く1つまたは複数のTTIの構成を修正し、バンドリングされたTTIにわたるシンボルの連結されたセットにわたって、データを送信することができる。いくつかの事例では、UE115-fは、後に続くTTI内のLBT、制御、アップリンク、またはUE構成修正に割り振られたシンボルのうちの1つまたは複数を、データを含むように修正することができる。バンドリングされたTTIの最後のTTI内で、データは、アップリンク送信用に割り振られた1つまたは複数のシンボルに先行し得る。アップリンク送信用に割り振られたシンボルには、次のTTIと共通境界を共有するガード期間が続き得る。いくつかのケースでは、UE115-eは、バンドリングされたTTIにわたって送信されたデータを受信し、復号し得る。
【００９３】
630において、UE115-eは、LBT受信手順を再開し、共有帯域へのアクセスを求めて競合し得る。いくつかのケースでは、UE115-eは、以前はUE115-fによって占有されていたリソースを介したLBT受信を再開することができる。他のケースでは、UE115-eは、共有周波数帯域幅のすべてのサブキャリアを介したLBT受信を再開し得る。
【００９４】
図7は、本開示の態様による、ワイヤレス通信システムのためのTTIバンドリングをサポートするワイヤレスデバイス705のブロック図700を示す。ワイヤレスデバイス705は、本明細書で説明したUE115の態様の例であってよい。ワイヤレスデバイス705は、受信機710、TTIバンドリングマネージャ715、および送信機720を含み得る。ワイヤレスデバイス705は、プロセッサも含み得る。これらの構成要素の各々は、(たとえば、1つまたは複数のバスを介して)互いに通信中であり得る。
【００９５】
受信機710は、パケット、ユーザデータ、または様々な情報チャネルに関連付けられた制御情報(たとえば、制御チャネル、データチャネル、およびワイヤレス通信システムのためのTTIバンドリングに関する情報)などの情報を受信し得る。情報はデバイスの他の構成要素に渡され得る。受信機710は、図10を参照して説明するトランシーバ1035の態様の例であり得る。受信機710は、単一のアンテナまたはアンテナのセットを使用し得る。
【００９６】
TTIバンドリングマネージャ715は、図10を参照して説明するTTIバンドリングマネージャ1015の態様の例であり得る。TTIバンドリングマネージャ715および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、TTIバンドリングマネージャ715および/またはその様々な下位構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明される機能を実施するように設計されたそれらの任意の組合せによって実行され得る。
【００９７】
TTIバンドリングマネージャ715および/またはその様々な下位構成要素のうちの少なくともいくつかは、機能の一部が1つまたは複数の物理デバイスによって異なる物理的位置において実装されるように分散されることを含めて、様々な場所に物理的に位置し得る。いくつかの例では、TTIバンドリングマネージャ715および/またはその様々な下位構成要素のうちの少なくともいくつかは、本開示の様々な態様による別個のおよび異なる構成要素であり得る。他の例では、TTIバンドリングマネージャ715、および/またはその様々な下位構成要素のうちの少なくともいくつかは、限定はされないが、I/O構成要素、トランシーバ、ネットワークサーバ、別のコンピューティングデバイス、本開示で説明された1つまたは複数の他の構成要素、または本開示の様々な態様によるそれらの組合せを含む、1つまたは複数の他のハードウェア構成要素と結合され得る。
【００９８】
TTIバンドリングマネージャ715は、車両間通信用に割り振られた共有無線周波数スペクトル帯域を介して車両へ送信されるべきデータのサイズがサイズ閾を満足すると識別することができ、第1のTTI中に送信されるべきデータは、LBTシンボル、制御シンボル、およびデータシンボルを含む。TTIバンドリングマネージャ715は、データのサイズがサイズ閾を満足することに基づいて、データが車両へ送信される予定である少なくとも第2のTTIを識別することであって、第2のTTIは第1のTTIに隣接する、ことと、共有無線周波数スペクトル帯域のキャリア上でLBT手順を実施することとを行い得る。いくつかのケースでは、TTIバンドリングマネージャ715は、第1のTTIの制御シンボル中に、LBT手順の出力結果に基づいて、第1のTTIのデータシンボルおよびギャップシンボル中に、ならびに第1のTTIのデータシンボルと連結される、第2のTTIのシンボル中にデータが送信される予定であるという指示を送信し、第1のTTIのデータシンボルおよびギャップシンボル中に、ならびに第2のTTIの連結シンボル中にデータを送信することができる。
【００９９】
TTIバンドリングマネージャ715はまた、車両間通信用に割り振られた共有無線周波数スペクトル帯域内の第1のTTIのデータシンボルおよびギャップシンボル中に、データの第1の部分を車両から受信することであって、第1のTTIは、データ通信用に割り振られている、ことと、共有無線周波数スペクトル帯域内の少なくとも第2のTTIのシンボル中に、データの第2の部分を車両から受信することであって、第2のTTIは第1のTTIに隣接し、第2のTTIのシンボルは第1のTTIのデータシンボルと連結されることとを行い得る。
【０１００】
送信機720は、デバイスの他の構成要素によって生成された信号を送信し得る。いくつかの例では、送信機720は、トランシーバモジュールにおいて受信機710と一緒に置かれてよい。たとえば、送信機720は、図10を参照して説明するトランシーバ1035の態様の例であり得る。送信機720は、単一のアンテナまたはアンテナのセットを使用し得る。
【０１０１】
図8は、本開示の態様による、ワイヤレス通信システムのためのTTIバンドリングをサポートするワイヤレスデバイス805のブロック図800を示す。ワイヤレスデバイス805は、図7を参照して説明したワイヤレスデバイス705またはUE115の態様の例であり得る。ワイヤレスデバイス805は、受信機810、TTIバンドリングマネージャ815、および送信機820を含み得る。ワイヤレスデバイス805は、プロセッサも含み得る。これらの構成要素の各々は、(たとえば、1つまたは複数のバスを介して)互いに通信中であり得る。
【０１０２】
受信機810は、パケット、ユーザデータ、または様々な情報チャネルに関連付けられた制御情報(たとえば、制御チャネル、データチャネル、およびワイヤレス通信システムのためのTTIバンドリングに関する情報)などの情報を受信し得る。情報はデバイスの他の構成要素に渡され得る。受信機810は、図10を参照して説明するトランシーバ1035の態様の例であり得る。受信機810は、単一のアンテナまたはアンテナのセットを使用し得る。
【０１０３】
TTIバンドリングマネージャ815は、図10を参照して説明するTTIバンドリングマネージャ1015の態様の例であり得る。TTIバンドリングマネージャ815は、データ閾構成要素825、TTI構成要素830、LBT構成要素835、指示送信機840、データ送信機845、データ部分受信機850、および連結シンボル受信機855も含み得る。
【０１０４】
データ閾構成要素825は、車両間通信用に割り振られた共有無線周波数スペクトル帯域を介して車両へ送信されるべきデータのサイズがサイズ閾を満足すると識別することができ、第1のTTI中に送信されるべきデータは、LBTシンボル、制御シンボル、およびデータシンボルを含む。いくつかのケースでは、データのサイズは、複数のTTIに対応するサイズ閾を超える。いくつかの例では、データはレイテンシ閾を超える場合がある。いくつかの例では、データはURLLCデータを含み得る。
【０１０５】
TTI構成要素830は、データのサイズがサイズ閾を満足することに基づいて、データが車両へ送信される予定である少なくとも第2のTTIを識別することができ、第2のTTIは第1のTTIに隣接する。いくつかのケースでは、データが送信される追加TTIの数は、TTIの閾数を下回る。
【０１０６】
LBT構成要素835は、共有無線周波数スペクトル帯域のキャリア上でLBT手順を実施し、リッスンしたことに基づいて、第1のTTIおよび第2のTTIに対応するリソースの予約を示すLBT予約メッセージを送信し、単一のLBT予約メッセージの送信を繰り返すことに先立って、LBTシンボル中に単一のサイクリックプレフィックスを送信し、送信のリスニングが実施されるシンボルに続くシンボルをカウントするためのLBTカウンタを開始することができる。いくつかのケースでは、LBT手順を実施することは、共有無線周波数スペクトル帯域のキャリアを介した送信をリッスンすることを含み、データの送信のためのリソースのセットは、リッスンしたことに基づいて判断される。いくつかの例では、LBT予約メッセージを送信することは、第1のTTIのLBTシンボル内で単一のLBT予約メッセージの送信を繰り返すことを含む。いくつかのケースでは、LBT予約メッセージは、LBTカウンタに基づいて判断された予約シンボル中に送信される。いくつかの態様において、LBT予約メッセージは、リスニングのために割り振られたシンボルの後のシンボル中に送信される。いくつかの実装形態では、リスニングのために割り振られたシンボルの後のシンボルは、ギャップシンボルに続く。
【０１０７】
指示送信機840は、LBT手順の出力結果に基づいて、第1のTTIのデータシンボルおよびギャップシンボル中に、ならびに第1のTTIのデータシンボルと連結される、第2のTTIのシンボル中にデータが送信される予定であるという指示を、第1のTTIの制御シンボル中に、送信することができる。いくつかのケースでは、第2のTTIの連結シンボルは、制御シンボルのセット、LBTシンボルのセット、データシンボルのセット、またはそれらの組合せを含む。いくつかの事例では、指示は、制御チャネルを介して送信される制御メッセージ中に含まれる。
【０１０８】
データ送信機845は、第1のTTIのデータシンボルおよびギャップシンボル中に、ならびに第2のTTIの連結シンボル中にデータを送信し、制御メッセージ用に割り振られた第2のTTIのシンボルを介して、データの少なくとも一部分を送信することができる。
【０１０９】
データ部分受信機850は、車両間通信用に割り振られた共有無線周波数スペクトル帯域内の第1のTTIのデータシンボルおよびギャップシンボル中に、データの第1の部分を車両から受信することができ、第1のTTIは、データ通信用に割り振られている。
【０１１０】
連結シンボル受信機855は、共有無線周波数スペクトル帯域内の少なくとも第2のTTIのシンボル中に、データの第2の部分を車両から受信することができ、第2のTTIは第1のTTIに隣接し、第2のTTIのシンボルは第1のTTIのデータシンボルと連結される。いくつかのケースでは、第2のTTIの連結シンボルは、制御シンボルのセット、LBTシンボルのセット、データシンボルのセット、またはそれらの組合せを含む。いくつかの事例では、第2のTTIは制御通信用に割り振られる。いくつかの例では、データのサイズは、複数のTTIに対応するサイズ閾を超える。いくつかの態様において、データはレイテンシ閾を超える。いくつかの例では、データはURLLCデータを含み得る。
【０１１１】
送信機820は、デバイスの他の構成要素によって生成された信号を送信し得る。いくつかの例では、送信機820は、トランシーバモジュールにおいて受信機810と一緒に置かれてよい。たとえば、送信機820は、図10を参照して説明するトランシーバ1035の態様の例であり得る。送信機820は、単一のアンテナまたはアンテナのセットを使用し得る。
【０１１２】
図9は、本開示の態様による、ワイヤレス通信システムのためのTTIバンドリングをサポートするTTIバンドリングマネージャ915のブロック図900を示す。TTIバンドリングマネージャ915は、図7、図8、および図10を参照して説明するTTIバンドリングマネージャ715、TTIバンドリングマネージャ815、またはTTIバンドリングマネージャ1015の態様の例であり得る。TTIバンドリングマネージャ915は、データ閾構成要素920、TTI構成要素925、LBT構成要素930、指示送信機935、データ送信機940、データ部分受信機945、連結シンボル受信機950、制御構成要素955、および指示受信機960を含み得る。これらのモジュールの各々は、直接または間接的に互いと(たとえば、1つまたは複数のバスを介して)通信し得る。
【０１１３】
データ閾構成要素920は、車両間通信用に割り振られた共有無線周波数スペクトル帯域を介して車両へ送信されるべきデータのサイズがサイズ閾を満足すると識別することができ、第1のTTI中に送信されるべきデータは、LBTシンボル、制御シンボル、およびデータシンボルを含む。いくつかのケースでは、データのサイズは、複数のTTIに対応するサイズ閾を超える。いくつかの例では、データはレイテンシ閾を超える。いくつかの例では、データはURLLCデータを含む。
【０１１４】
TTI構成要素925は、データのサイズがサイズ閾を満足することに基づいて、データが車両へ送信される予定である少なくとも第2のTTIを識別することができ、第2のTTIは第1のTTIに隣接する。いくつかのケースでは、データが送信される追加TTIの数は、TTIの閾数を下回る。
【０１１５】
LBT構成要素930は、共有無線周波数スペクトル帯域のキャリア上でLBT手順を実施し、リッスンしたことに基づいて、第1のTTIおよび第2のTTIに対応するリソースの予約を示すLBT予約メッセージを送信し、単一のLBT予約メッセージの送信を繰り返すことに先立って、LBTシンボル中に単一のサイクリックプレフィックスを送信し、送信のリスニングが実施されるシンボルに続くシンボルをカウントするためのLBTカウンタを開始することができる。いくつかのケースでは、LBT手順を実施することは、共有無線周波数スペクトル帯域のキャリアを介した送信をリッスンすることを含み、データの送信のためのリソースのセットは、リッスンしたことに基づいて判断される。いくつかの例では、LBT予約メッセージを送信することは、第1のTTIのLBTシンボル内で単一のLBT予約メッセージの送信を繰り返すことを含む。いくつかの態様では、LBT予約メッセージは、LBTカウンタに基づいて判断された予約シンボル中に送信される。いくつかの実装形態では、LBT予約メッセージは、リスニングのために割り振られたシンボルの後のシンボル中に送信される。いくつかのケースでは、リスニングのために割り振られたシンボルの後のシンボルは、ギャップシンボルに続く。
【０１１６】
指示送信機935は、LBT手順の出力結果に基づいて、第1のTTIのデータシンボルおよびギャップシンボル中に、ならびに第1のTTIのデータシンボルと連結される、第2のTTIのシンボル中にデータが送信される予定であるという指示を、第1のTTIの制御シンボル中に、送信することができる。いくつかのケースでは、第2のTTIの連結シンボルは、制御シンボルのセット、LBTシンボルのセット、データシンボルのセット、またはそれらの組合せを含む。いくつかの事例では、指示は、制御チャネルを介して送信される制御メッセージ中に含まれる。
【０１１７】
データ送信機940は、第1のTTIのデータシンボルおよびギャップシンボル中に、ならびに第2のTTIの連結シンボル中にデータを送信し、制御メッセージ用に割り振られた第2のTTIのシンボルを介して、データの少なくとも一部分を送信することができる。
【０１１８】
データ部分受信機945は、車両間通信用に割り振られた共有無線周波数スペクトル帯域内の第1のTTIのデータシンボルおよびギャップシンボル中に、データの第1の部分を車両から受信することができ、第1のTTIは、データ通信用に割り振られている。
【０１１９】
連結シンボル受信機950は、共有無線周波数スペクトル帯域内の少なくとも第2のTTIのシンボル中に、データの第2の部分を車両から受信することができ、第2のTTIは第1のTTIに隣接し、第2のTTIのシンボルは第1のTTIのデータシンボルと連結される。いくつかのケースでは、第2のTTIの連結シンボルは、制御シンボルのセット、LBTシンボルのセット、データシンボルのセット、またはそれらの組合せを含む。いくつかの事例では、第2のTTIは制御通信用に割り振られる。いくつかの例では、データのサイズは、複数のTTIに対応するサイズ閾を超える。いくつかのケースでは、データはレイテンシ閾を超える。いくつかの事例では、データはURLLCデータを含む。
【０１２０】
制御構成要素955は、第2のTTI中に送信されるべき制御メッセージの送信を修正することができる。いくつかのケースでは、制御メッセージの送信を修正することは、制御メッセージ用に割り振られた第2のTTIのシンボルを介して、制御メッセージを送信するのを控えることを含む。
【０１２１】
指示受信機960は、データの第2の部分が、第2のTTIの連結されたデータシンボル中に送信される予定であるという指示を受信し得る。いくつかのケースでは、指示は、第1のTTIの制御シンボル中に制御チャネルを介して受信される制御メッセージ中に含まれる。いくつかの事例では、データが受信されるTTIの数はTTIの閾数を下回る。
【０１２２】
図10は、本開示の態様による、ワイヤレス通信システムのためのTTIバンドリングをサポートするデバイス1005を含むシステム1000の図を示す。デバイス1005は、たとえば、図7および図8を参照して上記で説明したような、ワイヤレスデバイス705、ワイヤレスデバイス805、またはUE115の構成要素の例であるか、またはそれらを含み得る。デバイス1005は、TTIバンドリングマネージャ1015、プロセッサ1020、メモリ1025、ソフトウェア1030、トランシーバ1035、アンテナ1040、およびI/Oコントローラ1045を含め、通信を送信および受信するための構成要素を含む、双方向音声およびデータ通信のための構成要素を含み得る。これらの構成要素は、1つまたは複数のバス(たとえば、バス1010)を介して電子通信することができる。デバイス1005は、1つまたは複数の基地局105とワイヤレス通信することができる。
【０１２３】
プロセッサ1020は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかのケースでは、プロセッサ1020は、メモリコントローラを使ってメモリアレイを動作させるように構成され得る。他のケースでは、メモリコントローラは、プロセッサ1020に組み込まれ得る。プロセッサ1020は、様々な機能(たとえば、ワイヤレス通信システムのためのTTIバンドリングをサポートする機能またはタスク)を実施するためにメモリ内に記憶されたコンピュータ可読命令を実行するように構成され得る。
【０１２４】
メモリ1025は、ランダムアクセスメモリ(RAM)および読取り専用メモリ(ROM)を含み得る。メモリ1025は、実行されると、プロセッサに、本明細書で説明する様々な機能を実施させる命令を含むコンピュータ可読コンピュータ実行可能ソフトウェア1030を記憶することができる。いくつかのケースでは、メモリ1025は、特に、周辺構成要素またはデバイスとの相互作用など、基本的ハードウェアまたはソフトウェア動作を制御し得る基本入出力システム(BIOS)を含み得る。
【０１２５】
ソフトウェア1030は、ワイヤレス通信システムのためのTTIバンドリングをサポートするためのコードを含む、本開示の態様を実装するためのコードを含み得る。ソフトウェア1030は、システムメモリまたは他のメモリなどの、非一時的コンピュータ可読媒体に記憶され得る。いくつかのケースでは、ソフトウェア1030は、プロセッサによって直接実行可能ではないことがあるが、(たとえば、コンパイルされ、実行されると)本明細書で説明される機能をコンピュータに実施させることができる。
【０１２６】
トランシーバ1035は、上記で説明したように、1つもしくは複数のアンテナ、ワイヤードリンクまたはワイヤレスリンクを介して双方向に通信し得る。たとえば、トランシーバ1035は、ワイヤレストランシーバを表してよく、別のワイヤレストランシーバと双方向に通信し得る。トランシーバ1035はまた、送信のためにパケットを変調するとともに被変調パケットをアンテナに提供するための、またアンテナから受信されたパケットを復調するための、モデムを含み得る。
【０１２７】
いくつかのケースでは、ワイヤレスデバイスは、単一のアンテナ1040を含み得る。しかしながら、いくつかの他のケースでは、デバイスは、複数のワイヤレス送信を同時に送信または受信することが可能であり得る、2つ以上のアンテナ1040を有する場合がある。
【０１２８】
I/Oコントローラ1045は、デバイス1005の入力信号および出力信号を管理し得る。I/Oコントローラ1045はまた、デバイス1005の中に統合されていない周辺装置を管理し得る。いくつかのケースでは、I/Oコントローラ1045は、外部周辺機器への物理接続またはポートを表し得る。いくつかのケースでは、I/Oコントローラ1045は、iOS(登録商標)、ANDROID(登録商標)、MS-DOS(登録商標)、MS-WINDOWS(登録商標)、OS/2(登録商標)、UNIX(登録商標)、LINUX(登録商標)などのオペレーティングシステム、または別の知られているオペレーティングシステムを使用し得る。他のケースでは、I/Oコントローラ1045は、モデム、キーボード、マウス、タッチスクリーン、または同様のデバイスを表すか、またはそれらと対話し得る。いくつかのケースでは、I/Oコントローラ1045は、プロセッサの一部として実装され得る。いくつかのケースでは、ユーザは、I/Oコントローラ1045を介して、またはI/Oコントローラ1045によって制御されるハードウェア構成要素を介して、デバイス1005と対話することができる。
【０１２９】
図11は、本開示の態様による、ワイヤレス通信システムのためのTTIバンドリングのための方法1100を示すフローチャートを示す。方法1100の動作は、本明細書で説明したように、UE115またはその構成要素によって実装され得る。たとえば、方法1100の動作は、図7〜図10を参照して説明したように、TTIバンドリングマネージャによって実施され得る。いくつかの例では、UE115は、以下で説明する機能を実施するようにデバイスの機能要素を制御するためのコードのセットを実行し得る。追加または代替として、UE115は、専用ハードウェアを使用して、以下に記載する機能の態様を実施し得る。
【０１３０】
ブロック1105において、UE115は、車両間通信用に割り振られた共有無線周波数スペクトル帯域を介して車両へ送信されるべきデータのサイズがサイズ閾を満足すると識別することができ、第1のTTI中に送信されるべきデータは、LBTシンボル、制御シンボル、およびデータシンボルを含む。ブロック1105の動作は、本明細書で説明される方法に従って実施され得る。いくつかの例では、ブロック1105の動作の態様は、図7〜図10を参照して説明したように、データ閾構成要素によって実施され得る。
【０１３１】
ブロック1110において、UE115は、データのサイズがサイズ閾を満足することに少なくとも部分的に基づいて、データが車両へ送信される予定である少なくとも第2のTTIを識別することができ、第2のTTIは第1のTTIに隣接する。ブロック1110の動作は、本明細書で説明される方法に従って実施され得る。いくつかの例では、ブロック1110の動作の態様は、図7〜図10を参照して説明したように、TTI構成要素によって実施され得る。
【０１３２】
ブロック1115において、UE115は、共有無線周波数スペクトル帯域のキャリア上でLBT手順を実施し得る。ブロック1115の動作は、本明細書で説明される方法に従って実施され得る。いくつかの例では、ブロック1115の動作の態様は、図7〜図10を参照して説明したように、LBT構成要素によって実施され得る。
【０１３３】
ブロック1120において、UE115は、LBT手順の出力結果に少なくとも部分的に基づいて、第1のTTIのデータシンボルおよびギャップシンボル中に、ならびに第1のTTIのデータシンボルと連結される、第2のTTIのシンボル中にデータが送信される予定であるという指示を、第1のTTIの制御シンボル中に、送信し得る。ブロック1120の動作は、本明細書で説明される方法に従って実施され得る。特定の例では、ブロック1120の動作の態様は、図7〜図10を参照して説明したように、指示送信機によって実施され得る。
【０１３４】
ブロック1125において、UE115は、第1のTTIのデータシンボルおよびギャップシンボル中に、ならびに第2のTTIの連結シンボル中にデータを送信し得る。ブロック1125の動作は、本明細書で説明される方法に従って実施され得る。いくつかの例では、ブロック1125の動作の態様は、図7〜図10を参照して説明したように、データ送信機によって実施され得る。
【０１３５】
図12は、本開示の態様による、ワイヤレス通信システムのためのTTIバンドリングのための方法1200を示すフローチャートを示す。方法1200の動作は、本明細書で説明したように、UE115またはその構成要素によって実装され得る。たとえば、方法1200の動作は、図7〜図10を参照して説明したように、TTIバンドリングマネージャによって実施され得る。いくつかの例では、UE115は、以下で説明する機能を実施するようにデバイスの機能要素を制御するためのコードのセットを実行し得る。追加または代替として、UE115は、専用ハードウェアを使用して、以下に記載する機能の態様を実施し得る。
【０１３６】
ブロック1205において、UE115は、車両間通信用に割り振られた共有無線周波数スペクトル帯域内の第1のTTIのデータシンボルおよびギャップシンボル中に、データの第1の部分を車両から受信することができ、第1のTTIは、データ通信用に割り振られている。ブロック1205の動作は、本明細書で説明される方法に従って実施され得る。いくつかの例では、ブロック1205の動作の態様は、図7〜図10を参照して説明したように、データ部分受信機によって実施され得る。
【０１３７】
ブロック1210において、UE115は、共有無線周波数スペクトル帯域内の少なくとも第2のTTIのシンボル中に、データの第2の部分を車両から受信することができ、第2のTTIは第1のTTIに隣接し、第2のTTIのシンボルは第1のTTIのデータシンボルと連結される。ブロック1210の動作は、本明細書で説明される方法に従って実施され得る。いくつかの例では、ブロック1210の動作の態様は、図7〜図10を参照して説明したように、連結シンボル受信機によって実施され得る。
【０１３８】
上で説明された方法は、可能な実装形態を説明しており、動作およびステップは、並べ替えられるか、または他の方法で修正されてよく、他の実装形態が可能であることに留意されたい。さらに、方法のうちの2つ以上からの態様が組み合わされてよい。
【０１３９】
本明細書で説明する技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなど、様々なワイヤレス通信システムのために使用され得る。「システム」および「ネットワーク」という用語は、しばしば、互換的に使用される。CDMAシステムは、CDMA2000、ユニバーサル地上無線アクセス(UTRA)などの無線技術を実装し得る。CDMA2000は、IS-2000、IS-95およびIS-856規格をカバーする。IS-2000リリースは、一般に、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(WCDMA(登録商標))、およびCDMAの他の変形態を含む。TDMAシステムは、モバイル通信用グローバルシステム(GSM(登録商標))などの無線技術を実装し得る。
【０１４０】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装することができる。UTRAおよびE-UTRAは、ユニバーサル移動電気通信システム(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明する技法は、上述のシステムおよび無線技術ならびに他のシステムおよび無線技術のために使用され得る。LTEまたはNRシステムの態様について例として説明することがあり、説明の大部分においてLTEまたはNR用語が使用されることがあるが、本明細書で説明する技法はLTEまたはNR適用例以外に適用可能である。
【０１４１】
本明細書で説明されるそのようなネットワークを含むLTE/LTE-Aネットワークでは、eNBという用語は、概して、基地局を表すために使用され得る。本明細書で説明される1つまたは複数のワイヤレス通信システムは、異なるタイプのeNBが様々な地理的領域にカバレージを提供する異種LTE/LTE-AまたはNRネットワークを含み得る。たとえば、各eNB、gNB、または基地局は、マクロセル、スモールセル、または他のタイプのセルに通信カバレージを提供し得る。「セル」という用語は、文脈に応じて、基地局、基地局に関連付けられたキャリアもしくはCC、またはキャリアもしくは基地局のカバレージエリア(たとえば、セクタ)を表すために使用され得る。
【０１４２】
基地局は、基地トランシーバ局、無線基地局、アクセスポイント、無線トランシーバ、ノードB、eNB、gNB、ホームノードB、ホームeノードB、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明される1つまたは複数のワイヤレス通信システムは、異なるタイプの基地局(たとえば、マクロ基地局またはスモールセル基地局)を含み得る。本明細書で説明されるUEは、マクロeNB、スモールセルeNB、gNB、リレー基地局などを含む、様々なタイプの基地局およびネットワーク機器と通信することが可能であり得る。異なる技術のための重複する地理的カバレージエリアがあり得る。
【０１４３】
マクロセルは、概して、比較的大きい地理的エリア(たとえば、半径数キロメートル)をカバーし、ネットワークプロバイダのサービスに加入しているUEによる無制限アクセスを可能にし得る。スモールセルは、マクロセルと同じまたは異なる(たとえば、認可、無認可)周波数帯域内で動作する場合がある、マクロセルと比較して低電力基地局である。スモールセルは、様々な例に従って、ピコセル、フェムトセル、およびマイクロセルを含むことがある。ピコセルは、たとえば、小さい地理的エリアをカバーすることができ、ネットワークプロバイダのサービスに加入しているUEによる無制限アクセスを可能にすることがある。フェムトセルも、小さい地理的エリア(たとえば、自宅)をカバーすることがあり、フェムトセルとの関連付けを有するUE(たとえば、限定加入者グループ(CSG)の中のUE、自宅の中のユーザ用のUEなど)による制限付きアクセスを提供することがある。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数(たとえば、2つ、3つ、4つなど)のセル(たとえば、CC)をサポートすることがある。マクロセル用のgNBは、マクロgNBと呼ばれることがある。スモールセルのためのgNBは、スモールセルgNB、ピコgNB、フェムトgNB、またはホームgNBと呼ばれることがある。gNBは、1つまたは複数(たとえば、2つ、3つ、4つなど)のセル(たとえば、CC)をサポートすることがある。UEは、マクロeNB、スモールセルeNB、中継基地局などを含む、様々なタイプの基地局およびネットワーク機器と通信することが可能な場合がある。
【０１４４】
本明細書で説明する単一または複数のワイヤレス通信システムは、同期または非同期動作をサポートし得る。同期動作の場合、基地局は、類似のフレームタイミングを有することがあり、異なる基地局からの送信は、時間的にほぼ整合されることがある。非同期動作の場合、基地局は、異なるフレームタイミングを有する場合があり、異なる基地局からの送信は、時間的に整合されない場合がある。本明細書で説明される技法は、同期動作または非同期動作のいずれで使用されてもよい。
【０１４５】
本明細書に記載されたダウンリンク送信は順方向リンク送信と呼ばれてもよく、アップリンク送信は逆方向リンク送信と呼ばれてもよい。たとえば、図1および図2のワイヤレス通信システム100および200を含む、本明細書で説明される各通信リンクは、1つまたは複数のキャリアを含むことがあり、各キャリアは、複数のサブキャリア(たとえば、異なる周波数の波形信号)から構成される信号であり得る。
【０１４６】
添付の図面に関して本明細書に記載された説明は、例示的な構成について説明しており、実装され得るかまたは特許請求の範囲内に入るすべての例を表すとは限らない。本明細書で使用する「例示的」という用語は、「例、事例、または例示として役立つ」ことを意味し、「好ましい」または「他の例よりも有利な」を意味するものではない。詳細な説明は、説明した技法を理解することを目的とした具体的な詳細を含む。しかしながら、これらの技法は、これらの具体的な詳細を伴うことなく実践され得る。いくつかの事例では、記載された例の概念を不明瞭にすることを回避するために、よく知られている構造およびデバイスがブロック図の形態で示されている。
【０１４７】
添付の図では、同様の構成要素または特徴は、同じ参照ラベルを有する場合がある。さらに、同じタイプの様々な構成要素は、類似の構成要素を区別するダッシュおよび第2の符号を参照符号に続けることによって区別され得る。本明細書において第1の参照ラベルのみが使用される場合、説明は、第2の参照ラベルにかかわらず、同じ第1の参照ラベルを有する同様の構成要素のいずれにも適用可能である。
【０１４８】
本明細書で説明される情報および信号は、多種多様な技術および技法のいずれかを使用して表され得る。たとえば、上記の説明全体にわたって言及されることがあるデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１４９】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実施するように設計されたそれらの任意の組合せを用いて実装または実施される場合がある。汎用プロセッサは、マイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【０１５０】
本明細書で説明される機能は、ハードウェア、プロセッサによって実行されるソフトウェア、ファームウェア、またはそれらの任意の組合せで実装され得る。プロセッサによって実行されるソフトウェアにおいて実装される場合、機能は、1つまたは複数の命令またはコードとして、コンピュータ可読媒体上に記憶され、またはコンピュータ可読媒体を介して送信され得る。他の例および実装形態は、本開示および添付の特許請求の範囲の範囲内に入る。たとえば、ソフトウェアの性質に起因して、上述された機能は、プロセッサ、ハードウェア、ファームウェア、ハードワイヤリング、またはこれらのうちのいずれかの組合せによって実行されるソフトウェアを使用して実装され得る。機能を実装する特徴はまた、異なる物理的ロケーションにおいて機能の部分が実装されるように分散されることを含めて、様々な位置に物理的に配置され得る。また、特許請求の範囲内を含めて本明細書で使用する、項目のリスト(たとえば、「のうちの少なくとも1つ」または「のうちの1つまたは複数」などの句が後置される項目のリスト)において使用される「または」は、たとえば、A、B、またはCのうちの少なくとも1つのリストが、AまたはBまたはCまたはABまたはACまたはBCまたはABC(すなわち、AおよびBおよびC)を意味するような包括的リストを示す。また、本明細書で使用する「に基づいて」という句は、条件の閉集合を指すものと解釈されるべきではない。たとえば、「条件Aに基づいて」として説明する例示的なステップは、本開示の範囲から逸脱することなく、条件Aと条件Bの両方に基づき得る。言い換えれば、本明細書で使用する「に基づいて」という句は、「に少なくとも部分的に基づいて」という句と同様に解釈されるべきである。
【０１５１】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは命令またはデータ構造の形態の所望のプログラムコード手段を搬送または記憶するために使用されることがあり、汎用もしくは専用コンピュータまたは汎用もしくは専用プロセッサによってアクセスされることがある、任意の他の非一時的媒体を含み得る。また、あらゆる接続が、コンピュータ可読媒体と適切に呼ばれる。たとえば、ソフトウェアが、同軸ケーブル、光ファイバケーブル、より対線、デジタル加入者線(DSL)、または、赤外線、無線、およびマイクロ波などのワイヤレス技術を使用してウェブサイト、サーバ、または他のリモートソースから送信される場合、同軸ケーブル、光ファイバケーブル、より対線、DSL、または、赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびBlu-ray(登録商標)ディスク(disc)を含み、ここで、ディスク(disk)は、通常、データを磁気的に再生し、ディスク(disc)は、データをレーザーで光学的に再生する。上記のものの組合せも、コンピュータ可読媒体の範囲内に含まれる。
【０１５２】
本明細書における説明は、当業者が本開示を作製または使用することを可能にするために与えられる。本開示に対する様々な修正は、当業者に容易に明らかになり、本明細書で定義された一般原理は、本開示の範囲から逸脱することなく他の変形形態に適用され得る。したがって、本開示は、本明細書で説明される例および設計に限定されず、本明細書で開示された原理および新規の特徴と一致する最も広い範囲を与えられるべきである。
【符号の説明】
【０１５３】
100  ワイヤレス通信システム
105  基地局、発展型ノードB(eNB)
110  地理的カバレージエリア
115  UE
125  通信リンク
130  コアネットワーク
132  バックホールリンク
134  バックホールリンク
135  通信リンク
150  TTIバンドリングマネージャ
200  ワイヤレス通信システム
705  ワイヤレスデバイス
710  受信機
715  TTIバンドリングマネージャ
720  送信機
805  ワイヤレスデバイス
810  受信機
815  TTIバンドリングマネージャ
820  送信機
825  データ閾構成要素
830  TTI構成要素
835  LBT構成要素
840  指示送信機
845  データ送信機
850  データ部分受信機
855  連結シンボル受信機
915  TTIバンドリングマネージャ
920  データ閾構成要素
925  TTI構成要素
930  LBT構成要素
935  指示送信機
940  データ送信機
945  データ部分受信機
950  連結シンボル受信機
955  制御構成要素
960  指示受信機
1015  TTIバンドリングマネージャ
1035  トランシーバ
【図１】
2020521367.tif 000003
【図２】
2020521367.tif 000004
【図３】
2020521367.tif 000005
【図４】
2020521367.tif 000006
【図５】
2020521367.tif 000007
【図６】
2020521367.tif 000008
【図７】
2020521367.tif 000009
【図８】
2020521367.tif 000010
【図９】
2020521367.tif 000011
【図１０】
2020521367.tif 000012
【図１１】
2020521367.tif 000013
【図１２】
2020521367.tif 000014
【国際調査報告】
2020521367.tif 000015
2020521367.tif 000016
2020521367.tif 000017